(57)【要約】【課題】従来のウォーターサーバー用の液体容器用蓋は、液体容器本体の口部に装着するのが固いという欠点があった。【解決手段】本発明の液体容器用蓋は、液体容器の筒状口部の上端開口を塞ぐ上蓋部と、上記上蓋部の外縁から垂下せしめた、上記筒状口部の外周面を覆う外筒と、上記外筒下部内周面に設けた凸部と、上記外筒内周面の凸部に設けた切り欠きとよりなり、上記筒状口部の上端外周面に設けた凸部が、上記上蓋部と上記外筒と上記外筒内周面の凸部とにより形成される部分に液密に嵌合されることを特徴とする。【選択図】図２
2010089842.tif 000002
【特許請求の範囲】
【請求項１】
液体容器の筒状口部の上端開口を塞ぐ上蓋部と、上記上蓋部の外縁から垂下せしめた、上記筒状口部の外周面を覆う外筒と、上記外筒下部内周面に設けた凸部と、上記外筒内周面の凸部に設けた切り欠きとよりなり、上記筒状口部の上端外周面に設けた凸部が、上記上蓋部と上記外筒と上記外筒内周面の凸部とにより形成される部分に液密に嵌合されることを特徴とする液体容器用蓋。
【請求項２】
上記切り欠きの形状は円弧であることを特徴とする請求項１記載の液体容器用蓋。
【請求項３】
上記切り欠きの数が４個以上９個以下であることを特徴とする請求項１または２記載の液体容器用蓋。
【請求項４】
上記切り欠きの深さは、上記外筒内周面に設けた凸部の厚さから外筒の厚さを引いた値の半分の値であることを特徴とする請求項１、２または３記載の液体容器用蓋。
【請求項５】
上記上蓋部の直径が５５ｍｍ、上記外筒の厚さが１．８ｍｍ、上記凸部の厚さ３．５ｍｍであるとき、上記切り欠きの深さは１．１ｍｍであることを特徴とする請求項１、２または３記載の液体容器用蓋。
【請求項６】
上記切り欠きの立ち上がり部を湾曲に形成せしめたことを特徴とする請求項１、２、３、４または５記載の液体容器用蓋。
【発明の詳細な説明】
【技術分野】
【０００１】
本発明は液体容器用蓋、特に、ウォーターサーバー用の液体容器の口部に装着される蓋に関するものである。
【背景技術】
【０００２】
図４〜図６はウォーターサーバー用の液体容器の口部に液密に装着される従来の蓋を示し、１は容量が例えば１９．８リットル又は１２．３リットルのプラスチック製ボトルなどの液体容器本体の上部に設けた、直径約５３ｍｍの円筒状口部、２は上記円筒状口部１の上端外周面に沿って設けた凸部、３は上記円筒状口部に装着される、直径約５５ｍｍの可撓性のプラスチック製の蓋である。
【０００３】
上記蓋３は、上記円筒状口部１の上端開口を塞ぐ上蓋部４と、上記上蓋部４の外縁から垂下せしめた、上記円筒状口部１の凸部２の外周面を覆う厚さ約１．８ｍｍの上部外筒５と、上記上部外筒５の下部内周面に沿って設けた、半径方向内側に突出した断面三角形状の厚さ約３．５ｍｍの凸部６と、上記上部外筒５の下端に設けた、厚さ約１．２ｍｍの下部外筒７と、上記下部外筒７の上部内周面の略３／４の範囲に渡って設けた溝部８ａと、上記下部外筒７に設けた、上記溝部８ａの一端から上記下部外筒７の下端に至る切り込み８ｂと、上記上蓋部４の下面に、同心円状に設けた複数の凸部９と、上記上蓋部４の中央部に設けた穴部１０と、上記穴部１０の縁部下部に設けた上部筒部１１と、上記上部筒部１１の底を塞ぐ有底の下部筒部１２とよりなる。
【０００４】
上記従来の蓋３においては、液体容器本体の円筒状口部１の凸部２が、上記蓋３の上記上蓋部４と上記上部外筒５と上記凸部６とにより形成される部分に液密に嵌合され、液漏れが防止される。
【０００５】
そして、上記蓋３を装着した液体容器を逆さにし、上記筒部１１、１２内にウォーターサーバーの上部に突出せしめた給水管（図示せず）を挿入せしめ、上記給水管の先端により上記下部筒部１２を上記上部筒部１１から切り離し、上記液体容器内の液体を上記ウォーターサーバー内に供給せしめる。
【０００６】
また、上記液体容器内の液体が無くなって、上記液体容器をウォーターサーバーから外し、上記液体容器本体の口部１から蓋３を取り外す時は、上記上部外筒５に対して相対的に、上記切り込み８ｂ付近の上記下部外筒７を手で強く引っ張れば、上記下部外筒７の上記溝部８ａの一端部から他端部まで切り離され、さらに、上記下部外筒７を手で引っ張れば、上記蓋３を上記液体容器の口部１から取り外すことができる。
【０００７】
ウォーターサーバーと液体容器としては例えば特許文献１がある。
【先行技術文献】
【特許文献】
【０００８】
【特許文献１】特開２００７−２１０６６７号公報（第２図）
【発明の概要】
【発明が解決しようとする課題】
【０００９】
液体容器本体の口部に蓋を装着する場合、蓋の上蓋部と円筒状口部の上端間にパッキンを用いるタイプの蓋においては、パッキンにより液漏れを防ぐことができるので、上部外筒の下部内周面に突出して設けた凸部の厚さが２．５ｍｍ程度とあまり高くなく、そのため手での装着も可能であったが、上記従来のパッキンを用いないタイプの蓋においては、液漏れを凸部６の高さにより防ぐので、蓋の凸部６の厚さが３．５ｍｍ程度と厚いので、液体容器の口部にキャップを装着するのが固く、装着用の治具が必要であるという欠点があった。
【００１０】
本発明は上記の欠点の欠点を除くようにしたものである。
【課題を解決するための手段】
【００１１】
本発明の液体容器用蓋は、液体容器の筒状口部の上端開口を塞ぐ上蓋部と、上記上蓋部の外縁から垂下せしめた、上記筒状口部の外周面を覆う外筒と、上記外筒下部内周面に設けた凸部と、上記外筒内周面の凸部に設けた切り欠きとよりなり、上記筒状口部の上端外周面に設けた凸部が、上記上蓋部と上記外筒と上記外筒内周面の凸部とにより形成される部分に液密に嵌合されることを特徴とする。
【００１２】
また、上記切り欠きの形状は円弧であり、また、上記切り欠きの数が４個以上９個以下であり、また、上記切り欠きの深さは、上記外筒内周面に設けた凸部の厚さから外筒の厚さを引いた値の半分の値であることを特徴とする。
【００１３】
また、上記上蓋部の直径が５５ｍｍ、上記外筒の厚さが１．８ｍｍ、上記凸部の厚さ３．５ｍｍであるとき、上記切り欠きの深さは１．１ｍｍであることを特徴とする。
【００１４】
また、上記切り欠きの立ち上がり部を湾曲に形成せしめたことを特徴とする。
【発明の効果】
【００１５】
本発明の蓋によれば、治具なしに、液体容器本体の口部に蓋を手で容易に装着できるという大きな利益がある。また、切り欠きを設けても液漏れがない。
【００１６】
また、従来の蓋は装着が固かったので、液体容器本体の口部に蓋を装着する際、装着感が分からず、液体容器本体の口部に蓋が装着できたかどうかの確認が必要であったが、本願発明においては、液体容器本体の口部に蓋を例えば手で装着する際、「ポン」という装着感があり、液体容器本体の口部に蓋が装着したか否かの確認を不要にできる。
【図面の簡単な説明】
【００１７】
【図１】本発明の液体容器用蓋の縦断正面図である。
【図２】本発明の液体容器用蓋の底面図である。
【図３】本発明の液体容器用蓋の要部の拡大底面図である。
【図４】従来の液体容器の口部と蓋の縦断正面図である。
【図５】従来の液体容器用蓋の縦断正面図である。
【図６】従来の液体容器用蓋の底面図である。
【発明を実施するための形態】
【００１８】
以下図面によって本発明の実施例を説明する。
【実施例１】
【００１９】
本発明の蓋１３においては、図１及び図２に示すように、従来の蓋３の上部外筒５の下部内周面に沿って設けた凸部６に、１つ、又は所望の間隔をあけて複数の切り欠き１４を設ける。
【００２０】
本発明の蓋によれば、治具なしに、液体容器本体の口部１に蓋１３を手で容易に装着できるという大きな利益がある。また、切り欠きを設けても液漏れがない。
【００２１】
また、従来の蓋は装着が固かったので、液体容器本体の口部に蓋を装着する際、装着感が分からず、液体容器本体の口部に蓋が装着できたかどうかの確認が必要であったが、本願発明においては、液体容器本体の口部に蓋を例えば手で装着する際、「ポン」という装着感があり、液体容器本体の口部に蓋が装着したか否かの確認を不要にできる。
【００２２】
なお、種々実験の結果、上記切り欠き１４が単なる切り込みを入れた場合や、切り欠きの形状を三角形状にした場合では、容器本体の口部１に蓋１３を装着した時、切り欠き１４周辺部が破損してしまい、そこから液漏れを生ずる場合があったが、切り欠きの形状を円弧（楕円または円錐曲線の一部を形成する弧も含む）にした場合には、破損することがなく、非常に装着が容易となり、また、装着感も十分にあったので、切り欠きの形状は円形又は楕円形が好ましい。
【００２３】
また、切り欠きの数が３個以下では、装着感がまだ硬く、装着感も悪く、また、１０個以上であると、液漏れが生じたため、上記切り欠きの数は４個以上９個以下が好ましい。
【００２４】
また、上記切り欠きの深さは、凸部６の厚さから外筒の厚さを引いた値の半分の値、即ち、凸部６の厚さ３．５ｍｍから上部外筒１．８ｍｍを引いた値１．７ｍｍの略半分ぐらいの深さ約０．９ｍｍから、凸部６の厚さ３．５ｍｍから下部外筒１．２ｍｍを引いた値２．３ｍｍの略半分ぐらいの深さ約１．１ｍｍの間とするのが好ましい。
【００２５】
また、上記各切り欠き１４の間隔は等間隔であるのが好ましい。
【００２６】
また、上記切り欠き１４の形状は、切り欠きの深さが１．１ｍｍで、直径３ｍｍ〜３．５ｍｍの円の円弧であるのが好ましい。
【００２７】
また、図３の破線で示すように、切り欠き１４の立ち上がり部１５が角状に形成されていると、筒状口部１に蓋１３を装着した時に、その立ち上がり部周辺が破損しまい、そこから液漏れを生ずる場合があるので、図３の実線に示すように、上記立ち上がり部１５の角部分を面取りし、なだらかな湾曲に形成せしめ、破損しなようにするのが好ましい。なお、上記立ち上がり部１５の面取りは角部の全体であっても良く、また角部の一部であっても良い。
【符号の説明】
【００２８】
１    円筒状口部
２    凸部
３    蓋
４    上蓋部
５    上部外筒
６    凸部
７    下部外筒
８ａ  溝部
８ｂ  切り込み
９    凸部
１０    穴部
１１    上部筒部
１２    下部筒部
１３    蓋
１４    切り欠き
１５    立ち上がり部
【図１】
2010089842.tif 000003
【図２】
2010089842.tif 000004
【図３】
2010089842.tif 000005
【図４】
2010089842.tif 000006
【図５】
2010089842.tif 000007
【図６】
2010089842.tif 000008